(57)【要約】      （修正有）【課題】カバー本体に積雪などで荷重が加わったときでも、継ぎ目が開いて高圧充電部が露出することのない電線引留クランプカバーを提供する。【解決手段】引留クランプ５の周りを覆う電線引留クランプカバーであって、カバー本体１は、開閉自在にする一側カバー材と他側カバー材とを備えており、一側カバー材と他側カバー材は、係止したときにクランプを収納できる空間を形成し、電線Ｄと立上り電線Ｗおよび碍子１３を導入する開口部４ａ〜４ｃを有する。開口部４ａ〜４ｃは、一側カバー材と他側カバー材の分割箇所に係止具２ａ、２ｂ、１４ａ、１４ｂ、１５ａ、１５ｂを設けてある。一側カバー材と他側カバー材は、それぞれを対向して合わせるとともに、活線工具で係止しやすい箇所に設けてある係止具１４ａ、１４ｂを係止するときに、活線工具で係止しにくい箇所にある係止具１５ａ、１５ｂが連動して係止される。【選択図】図１
2018133969.tif 000002
【特許請求の範囲】
【請求項１】
引留クランプ周りを覆う電線引留クランプカバーであって、カバー本体は、開閉自在にする一側カバー材と他側カバー材とを備えており、
一側カバー材と他側カバー材は、各々を係止したときにクランプを収納できる空間を形成するとともに、電線および碍子を導入する開口部が設けてあり、開口部は、一側カバー材と他側カバー材の分割箇所に係止具が設けてあり、
一側カバー材と他側カバー材は、それぞれを対向して合わせるとともに、活線工具で係止しやすい箇所に設けてある係止具を係止したときに、活線工具で係止しにくい箇所に設けてある係止具が連動して係止することを特徴とする電線引留クランプカバー。
【発明の詳細な説明】
【技術分野】
【０００１】
本発明は、クランプ等の高圧充電部周りを活線作業時に絶縁防護するための電線引留クランプカバーに関するものである。
【背景技術】
【０００２】
電線引留クランプカバーの取付作業時は通電状態で作業を行うため、活線工具を用いている。活線工具は電線引留クランプカバーの下方から遠隔操作によって使用するものであるが、電線引留クランプカバーを取り付けたときに碍子や腕金が近接するため、碍子用開口部の周りの箇所には活線工具で把持するスペースがなく、たとえ上記の箇所に係止具を設けたとしても係止できなかった。そこで、特許文献１に開示されるものによれば、電線開口部の下方と碍子開口部の上部に係止具と連結杆を一体的に連設し、係止具を係止することで碍子用開口部の周りの取り付けができる構造としている。
【先行技術文献】
【特許文献】
【０００３】
【特許文献１】特許第２９４６３２９号公報
【発明の開示】
【発明が解決しようとする課題】
【０００４】
しかしながら、電線引留クランプカバーに積雪などの荷重が加わったときに、電線引留クランプカバーに設けてある電線の碍子開口部の外周部が変形してカバーの継ぎ目が開いてしまい、充電部であるクランプ金物が露出し、さらに、継ぎ目の開きが大きくなるとクランプ金物から電線引留クランプカバーが外れてしまう場合もあり、クランプ金物および電線部品周りの絶縁性の確保が難しくなる問題点があった。
そこで碍子開口部が変形しないよう碍子開口部に係止具を設ける必要があったが、活線工具では碍子開口部の係止具を係止するには狭く、作業ができなかった。
【０００５】
本発明は上記課題を鑑みてなされたものであり、カバー本体に積雪などで荷重が加わったときでも、継ぎ目が開いて高圧充電部が露出することのない電線引留クランプカバーを提供することにある。
【課題を解決するための手段】
【０００６】
本発明の請求項１記載の発明は、引留クランプ周りを覆う電線引留クランプカバーであって、カバー本体は、開閉自在にする一側カバー材と他側カバー材とを備えており、一側カバー材と他側カバー材は、各々を係止したときにクランプを収納できる空間を形成するとともに、電線および碍子を導入する開口部が設けてあり、開口部は、一側カバー材と他側カバー材の分割箇所に係止具が設けてあり、一側カバー材と他側カバー材は、それぞれを対向して合わせるとともに、活線工具で係止しやすい箇所に設けてある係止具を係止したときに、活線工具で係止しにくい箇所に設けてある係止具が連動して係止することを特徴とする。
【発明の効果】
【０００７】
本発明の請求項１記載の発明によれば、一側部材と他側部材の開口部外周の継ぎ目の箇所に係止具を設けてあることにより、積雪などでカバー本体に荷重がかかって一側カバー材と他側カバー材が変形しようとしても、係止具で変形力を抑えることで、継ぎ目が開かず、引留クランプなどの高圧充電部の絶縁状態が確保できる。また、活線工具で把持しやすい係止具を係止したときに、碍子開口部の外周部の継ぎ目の箇所に設けてある係止具も連動して係止する。これにより、作業者はカバー本体における活線工具で把持しやすい箇所の係止具を係止することで、作業者が活線工具で把持しにくい係止具であっても容易に係止させることができ、作業性が向上する。
【図面の簡単な説明】
【０００８】
【図１】本実施による電線引留クランプカバーをクランプ周りに取り付けたときの使用状態を示す側面図である。
【図２】（ａ）（ｂ）は、本実施による電線引留クランプカバーを展開した状態を示す平面図であり、（ｂ）は、図１を縦断面して要部を拡大した図である。
【図３】（ａ）〜（ｃ）は各々、本実施による電線引留クランプカバーの取付手順を示す側面図及び縦断面図である。
【図４】（ａ）（ｂ）は、本実施による電線引留クランプカバーの碍子側係止具が係止されるまでの状態を示す拡大した縦断面図である。
【図５】（ａ）（ｂ）は、本発明による他の実施形態の電線引留クランプカバーであり、本実施による電線引留クランプカバーの碍子側係止具が係止されるまでの状態を示す拡大した縦断面図である。
【発明を実施するための形態】
【０００９】
以下、本発明の電線引留クランプカバーの実施形態を図面に基づいて説明する。
電線引留クランプカバーは、図１、図２（ａ）（ｂ）のように、ほぼ一対形状をなす一側カバー材１ａと他側カバー材１ｂを連結片１１で連結して構成するカバー本体１であり、一側カバー材１ａと他側カバー材１ｂを対面させて合わせたその内周部に、高圧充電部である引留クランプ５を収容する空間Ｓを形成する。
尚、符号Ｔは電柱である。
【００１０】
カバー本体１を構成する一側カバー材１ａと他側カバー材１ｂは、それぞれの外周縁部に設けてある複数の係止具２ａ，２ｂを係止することで、その内部に中空部が形成されて引留クランプ５を収容する空間Ｓとなるものである。また、一側カバー材１ａと他側カバー材１ｂには、電線導入開口形成部３ａと、立上り電線導出開口形成部３ｂと、碍子導入開口形成部３ｃがそれぞれ設けてある。各開口部形成部３ａ〜３ｃは、一側カバー材１ａと他側カバー材１ｂにそれぞれ半円弧状に刳り貫かれた状態で設けてあり、一側カバー材１ａと他側カバー材１ｂが対向して合わさることで、ほぼ円形に開口した電線導入開口部４ａ、立上り電線導出開口部４ｂ、碍子導入開口部４ｃとしてそれぞれ形成される。
【００１１】
また、一側カバー材１ａと他側カバー材１ｂは、肉厚が約２〜３ｍｍ程度のポリエチレン樹脂で成形してあり、引留クランプ５の周りに取り付けたときに風などの影響で変形しにくいよう比較的硬質に形成してある。係止具２ａ，２ｂは、一側カバー材１ａと他側カバー材１ｂのそれぞれの外周縁部から開閉可能に設けてある。また、本実施のものでは一側カバー材１ａに設けてある係止具２ａが、その先端が他側カバー材１ｂのほうに向けて突出する突片６ａを有している。さらに、他側カバー材１ｂに設けてあるものが受片６ｂを有しており、それぞれの係止具２ａ，２ｂは、一側カバー材１ａと他側カバー材１ｂが対向して合わさったときの対応する位置にそれぞれが配置してある。そして、一側カバー材１ａと他側カバー材１ｂを対向して合わせたときに、それぞれの係止具２ａ，２ｂに有する突片６ａと受片６ｂが係止して外れない構造となる。また、一側カバー材１ａと他側カバー材１ｂの外周部には、カバー本体１からアーム状に張り出した被把持部７が設けてあり、この被把持部７は、活線工具１２で掴みやすい形状となっている。
【００１２】
本実施によるカバー本体１の各開口部４ａ〜４ｃは、電線Ｄと立上り電線Ｗと碍子１３よりも余裕をもって大きく開口している。これにより、カバー本体１を引留クランプ５周りに取り付けたときに、風や自然振動による電線Ｄや立上り電線Ｗの撓みを規制しないようになっている。また、カバー本体１の立上り電線導出開口部４ｂの周縁に、上記の係止具２ａ，２ｂが複数設けてある。これにより、電線Ｗを本実施による電線引留クランプカバーの外に適宜な角度で抜き出すと共に、その抜き出し箇所以外にある係止具２ａ，２ｂ同士を係止することで、立上り電線Ｗを立上り電線導出開口部４ｂから抜き出しつつも、引留クランプ５周りを確実に保持した状態で一側カバー材１ａと他側カバー材１ｂを取り付けることができる。
【００１３】
また、一側カバー材１ａと他側カバー材１ｂに設けてある各係止具２ａ，２ｂは、それぞれの外周縁部の全周に間隔をあけて複数設けてあるが、立上り電線導出開口部４ｂの外周縁に集中して設けてある。そのうち、立上り電線導出開口部４ｂと碍子導入開口部４ｃとの間には、カバー本体１を補強する連結杆８が設けてある。そして、連結杆８についても一方に突片６ａ他方に受片６ｂをそれぞれ有する連結杆係止具１４ａ,１４ｂが設けてあり、この連結杆係止具１４ａ，１４ｂと連動するものとして、活線工具１２が届かない碍子導入開口形成部３ｃの外周部の上部に、碍子側係止具１５ａ，１５ｂが設けてある。このうち、一側カバー材１ａに設けてある碍子側係止具１５ａが、他側カバー材１ｂに向かう碍子側突片１７ａの先端が下向きに屈曲して鉤状をなしている。これに対して他側カバー材１ｂに設けてある碍子側係止具１５ｂは、一側カバー材１ａとの対向する当接側から外周側に向かって次第に登り勾配となるテーパ９を有する碍子側受片１７ｂが設けてある。これにより、一側カバー材１ａと他側カバー材１ｂが当接したときに、一側カバー材１ａに設けてある碍子側係止具１５ａの先端部が他側カバー材１ｂのテーパ９を乗り越えて先端の鉤状部位が落とし込まれ、他側カバー材１ｂに設けてある碍子側係止具１５ｂの外周部に係止する。したがって、連結杆係止具１４ａ，１４ｂを係止して一側カバー材１ａと他側カバー材１ｂが当接するのと同時に、互いの碍子側係止具１５ａ，１５ｂが係止するので、例えば、碍子導入開口部４ｃの外周上部側のように、連結杆８で遮られて活線工具１２で掴みにくい箇所であるにも関わらず、係止具２ａ，２ｂが活線工具１２で直接把持されなくても、しっかりと係止することができる。
【００１４】
本実施による電線引留クランプカバーを引留クランプ５周りに取り付けるときの手順について、図３（ａ）〜（ｃ）に基づいて以下に説明する。
第一の手順として、図３（ａ）のように、一側カバー材１ａと他側カバー材１ｂが開いた状態にあるカバー本体１の仮留ホック１６を取りつけ、さらに、下側を半開きにした状態で引留クランプ５周りに対して上方から徐々に近づけると共に、活線工具１２を用いて一側カバー材１ａと他側カバー材１ｂの側面にそれぞれ設けてある被把持部７を掴んで、そのまま被せていく。
次に第二の手順として、図３（ｂ）のように、引留クランプ５周りに被せてあるカバー本体１の下端側にある各係止具２ａを、活線工具１２を用いて順次係止していき、立上り電線導出開口部（開口部）４ｂから電線Ｄを抜き出した状態で被せる。
次に第三の手順として、図３（ｃ）のように、カバー本体１における連結杆８に設けてある連結杆係止具１４ａ，１４ｂを活線工具１２で係止する。
以上の第一〜第三の手順を経ることで、本実施による電線引留クランプカバーを引留クランプ５周りに取り付ける作業が完了する。
尚、各々の開口部４ａ〜４ｃの係止具２ａ，２ｂを係止する順番については、前述した手順に限るものではなく、いずれの開口部４ａ〜４ｃから作業を始めてもよい。また、活線工具１２は、上記実施によるものでは一本あるいは二本で作業を行うものについて開示したが、その使用本数については、例えば、現場状況や作業者によって適宜変更されるものである。
【００１５】
上記の第三の手順で、図４（ａ）（ｂ）に示すように、一側カバー材１ａと他側カバー材１ｂとを接近させ、さらに、連結杆８に設けてある連結杆係止具１４ａ，１４ｂを活線工具１２で係止することにより、碍子導入開口部４ｃの外周上部に設けてある碍子側係止具１５ａ，１５ｂも連動して係止する構造となっている。
具体的には図４（ａ）のように、一側カバー材１ａと他側カバー材１ｂにおける連結杆８を形成する箇所に設けてある各々の連結杆係止具１４ａ，１４ｂのうち、一側カバー材１ａに設けてある碍子側係止具１５ａの碍子側突片１７ａの先端が、他側カバー材１ｂに設けてある碍子側係止具１５ｂの碍子側受片１７ｂのテーパ９に沿って摺動する。さらに、一側カバー材１ａと他側カバー材１ｂが合わさるまで当接したときに、図４（ｂ）のように、一側カバー材１ａの碍子側係止具１５ａの突片６ａの先端の鉤状部位が他側カバー材１ｂの碍子側係止具１５ｂのテーパ９を乗り越えて碍子側係止具１５ｂの碍子側受片１７ｂの外周側に落とし込まれる。これにより、一側カバー材１ａの碍子側係止具１５ａで他側カバー材１ｂの碍子側係止具１５ｂがロックされた状態となり、活線工具１２で直接把持できない連結杆８でも一側カバー材１ａと他側カバー材１ｂが外れない構造となる。
【００１６】
上記のように形成することにより、本実施による電線引留クランプカバーは、以下の作用・効果を奏することになる。
本実施による電線引留クランプカバーに設けてある複数の係止具２ａ，２ｂのうち、活線工具１２で連結杆８などの比較的把持しやすい箇所にある連結杆係止具１４ａ，１４ｂを係止すれば、一側カバー材１ａと他側カバー材１ｂが接近する。これにより、連結杆８などの活線工具１２で把持しにくい箇所にある碍子側係止具１５ａ，１５ｂ同士も接近することから、一側カバー材１ａの碍子側係止具１５ａの他側カバー材１ｂ側に向かって突出した碍子側突片１７ａの先端が他側カバー材１ｂの碍子側係止具１５ｂの碍子側受片１７ｂのテーパ９を乗り越えて、他方の碍子側係止具１５ｂの外周部に落とし込まれることで碍子側係止具１５ａ、１５ｂを係止できる。これにより、活線工具１２で直接把持のしにくい箇所に設けてある係止具（碍子側係止具）１５ａ，１５ｂを把持することなく、その他の把持しやすい箇所に設けてある係止具（連結杆係止具）１４ａ，１４ｂと連動して係止させることができる。したがって、電線引留クランプカバーに冠雪してカバー本体１に荷重による変形力が加わっても、一般的に活線工具１２で把持できない箇所に設けてある碍子側係止具１５ａ，１５ｂがしっかりと係止されていることにより、碍子側係止具１５ａ，１５ｂで変形力を抑えることでカバー本体１の継ぎ目が開かず、引留クランプ５などの高圧充電部の絶縁状態が確保できる。
【００１７】
本発明の電線引留クランプカバーは、前述した形態のものに適用を限定するものではない。図５（ａ）（ｂ）のものは、上記の実施形態と比較して碍子側係止具１５ａ，１５ｂの形状が異なっている。こちらの電線引留クランプカバーでは、図５（ａ）（ｂ）のように、連結杆８に設けてある連結杆係止具１４ａ，１４ｂを活線工具１２で係止することにより、一側カバー材１ａに設けてある碍子側係止具１５ａの碍子側突片１７ａの先端に、他側カバー材１ｂのほうに向かうに従って次第に尖っていくテーパ、例えるなら矢印型の先端部位を有するものを設け、他側カバー材１ｂには、前述した一側カバー材１ａの碍子側係止具１５ａの碍子側突片１７ａの先端部位とほぼ同一形状をなす受孔１０を貫通する碍子側受片１７ｂを有する碍子側係止具１５ｂが設けてある。このように形成しても、図５（ａ）（ｂ）のように、活線工具１２で比較的把持しやすい箇所に設けてある連結杆係止具１４ａ，１４ｂを把持して係止することにより、一側カバー材１ａと他側カバー材１ｂが合わさって当接することで、碍子導入開口部４ｃの外周上部側に設けてある一側カバー材１ａの碍子側係止具１５ａの碍子側突片１７ａの先端部位が他側カバー材１ｂに設けてある碍子側係止具１５ｂの碍子側受片１７ｂの受孔１０内に差し込まれていく。そして、上記の碍子側突片１７ａの先端部位が受孔１０内のテーパ９を乗り越えることで、その先端部位が受孔１０を貫通して碍子側受片１７ｂの外周側部に係止する。また、本発明の電線引留クランプカバーの素材についても、上記実施形態ではポリエチレン樹脂で成形したものを説明しているが、その他ＡＳ樹脂（アクリルニトリルスチレン樹脂）などでもよい。
【符号の説明】
【００１８】
１  カバー本体
１ａ  一側カバー材
１ｂ  側方カバー材
２ａ，２ｂ  係止具
３ａ  電線導入開口形成部（開口形成部）
３ｂ  立上り電線導出開口形成部（開口形成部）
３ｃ  碍子導入開口形成部（開口形成部）
４ａ  電線導入開口部（開口部）
４ｂ  立上り電線導出開口部（開口部）
４ｃ  碍子導入開口部（開口部）
５  引留クランプ
６ａ  突片
６ｂ  受片
７  被把持部
８  連結杆
９  テーパ
１０  受孔
１１  連結片
１２  活線工具
１３  碍子
１４ａ，１４ｂ  連結杆係止具（係止具）
１５ａ，１５ｂ  碍子側係止具（係止具）
１６  仮留ホック
１７ａ  碍子側突片
１７ｂ  碍子側受片
Ｄ  電線
Ｓ  空間
Ｔ  電柱
Ｗ  立上り電線
【図１】
2018133969.tif 000003
【図２】
2018133969.tif 000004
【図３】
2018133969.tif 000005
【図４】
2018133969.tif 000006
【図５】
2018133969.tif 000007